(57)【特許請求の範囲】
【請求項１】
電極面を各々有するソケットとプラグとを備えて滅菌領域内で使用する医療機器用コネクタにおいて、
先端面に前記プラグの電極面に接触して拭き取る第一の拭き取り部材を設けた細径部を有するソケットと、
先端部の一部に開口部を設けて前記細径部の先端面及び外周を覆うと共にコネクタ長軸中心に回転する機構を有し、前記ソケットの電極面に接触して拭き取る第二の拭き取り部材を設けた係合凹部材と、
前記係合凹部材に設けた開口部に嵌合する形状に形成されて、前記ソケットの電極面に接触して導通する前記電極面を備えたプラグと、
を具備したことを特徴とする医療機器用コネクタ。
【請求項２】
電極となるピンを各々有するソケットとプラグとを備えた滅菌領域内で使用する医療機器用コネクタにおいて、
両端から前記プラグ及びソケットに設けられた第１及び第２のピンがそれぞれ圧入される嵌合部と、前記嵌合部に設けられ、前記第１及び第２のピン同士を導通させる導通部材を備えたソケットと、
前記嵌合部の両端付近に設けられ、前記プラグが前記ソケットに嵌入された際に前記第１及び第２のピンと接触して該ピンの外周を拭き取る第一の拭き取り部材と、
前記ソケットのピンに設けられ、前記プラグが前記ソケットに嵌入された際に前記導通部材を拭き取る第二の拭き取り部材と、
を具備したことを特徴とする医療機器用コネクタ。
【発明の詳細な説明】
【０００１】
【発明の属する技術分野】
本発明は、ビデオ内視鏡等の医療機器に好適な医療機器用コネクタに関する
【０００２】
【従来の技術】
従来、医療用分野においては、細長の挿入部を体腔内に挿入することにより、体腔内臓器等を観察することが出来る内視鏡が広く用いられている。体腔内臓器等の観察画像をモニターに表示させる場合には、内視鏡挿入部先端もしくは後端の撮像部に電荷結合素子（ＣＣＤ）等の固体撮像素子を配設した電子内視鏡や、肉眼観察可能な光学内視鏡の接眼部に外付けカメラを装着したもの等が用いられている。
【０００３】
電子内視鏡及び外付けカメラに設けた撮像素子から出力される信号は、電子内視鏡や外付けカメラ等とは別体の画像処理装置によって映像信号化されてモニターに出力される。別体に構成された電子内視鏡や外付けカメラ等と画像処理装置との間は医療機器用コネクタを介して接続される。また、医療処置あるいは手術において使用される各種処置具についても、医療機器用コネクタによってエネルギーの供給源でもある制御装置に接続される。
【０００４】
このような医療機器用コネクタとしては、特開平６−１３３９１９号公報（以下、文献１という）、特開平６−２５０１０３号公報（以下、文献２という）、実案平２−４５５１２号（以下、文献３という）及び特開昭６１−２５９２２２号公報（以下、文献４という）等によって開示されたものがある。
【０００５】
文献１の提案においては、コネクタの挿入口から内部の電気接点までの間に設けられた液体吸収部材によって、コネクタの接続操作の際に液体が電気接点部に到達する前に、液体吸収部材により液体を吸収する構成が開示されている。
【０００６】
文献２の提案においては、コネクタの電気接点部を面状に形成することで、電気接点部に残留した液体の拭き取り性を向上させた構成が開示されている。
【０００７】
文献３の提案においては、装置本体の一側壁に設けた通孔に変形自在な防水部材を設けて、この防水部材によってコネクタを水密的に接続するようにしたものが開示されている。
【０００８】
文献４の提案においては、分割した内視鏡本体の接続部同士にテーパ部を形成することで、接続作業を容易にすると共に、電気的接続を確実にした内視鏡用の接続装置が開示されている。
【０００９】
【発明が解決しようとする課題】
ところで、内視鏡を利用した手術等は清潔領域（以下、滅菌領域という）で行われる。従って、医療機器用コネクタとしては、滅菌領域で着脱可能にするために、以下に示す必要条件がある。
【００１０】
即ち、▲１▼血液等の液が付着しても着脱、導通が可能であること。▲２▼手袋をしている術者でも簡便、確実に着脱可能であること。▲３▼洗滌性が優れていること。▲４▼蒸気滅菌を例とする各種滅菌処理が可能であること。等である。
【００１１】
しかしながら、上述した従来の医療機器用コネクタにおいては、これらの必要条件を満足していないという問題点があった。即ち、文献１の提案では、プラグ側の嵌合孔部分が上記▲３▼洗滌▲４▼滅菌を行うに適した凹凸の少ない構成とは言えない。また、文献２においては、プラグ側の液密性が必須であり、プラグ内に▲１▼血液等が付着した場合の着脱性において不十分な構成となっている。また、文献３及び文献４の提案においては、滅菌領域内の着脱コネクタとして利用する場合の液密構造等についての記載はない。
【００１２】
本発明はかかる問題点に鑑みてなされたものであって、血液等の液が付着しても着脱及び導通を可能にし、手袋をしている術者でも簡便且つ確実に着脱可能にすると共に、洗滌性に優れ、各種滅菌処理を可能にすることができる医療機器用コネクタを提供することを目的とする。
【００１３】
【課題を解決するための手段】
本発明の請求項１に係る医療機器用コネクタは、電極面を各々有するソケットとプラグとを備えて滅菌領域内で使用する医療機器用コネクタにおいて、先端面に前記プラグの電極面に接触して拭き取る第一の拭き取り部材を設けた細径部を有するソケットと、先端部の一部に開口部を設けて前記細径部の先端面及び外周を覆うと共にコネクタ長軸中心に回転する機構を有し、前記ソケットの電極面に接触して拭き取る第二の拭き取り部材を設けた係合凹部材と、前記係合凹部材に設けた開口部に嵌合する形状に形成されて、前記ソケットの電極面に接触して導通する前記電極面を備えたプラグとを具備したものである。
本発明の請求項１においては、プラグはソケットの係合凹部材に嵌合される。係合凹部材を回転させることで、電極面同士を接触させる。この回転によって、ソケットの第一の拭き取り部材がプラグの電極面の水分及び汚れ等を拭き取るとともに、係合凹部材の第二の拭き取り部材がソケットの電極面の水分及び汚れ等を拭き取る。
【００１４】
本発明の請求項２に係る医療機器用コネクタは、電極となるピンを各々有するソケットとプラグとを備えた滅菌領域内で使用する医療機器用コネクタにおいて、両端から前記プラグ及びソケットに設けられた第１及び第２のピンがそれぞれ圧入される嵌合部と、前記嵌合部に設けられ、前記第１及び第２のピン同士を導通させる導通部材を備えたソケットと、前記嵌合部の両端付近に設けられ、前記プラグが前記ソケットに嵌入された際に前記第１及び第２のピンと接触して該ピンの外周を拭き取る第一の拭き取り部材と、前記ソケットのピンに設けられ、前記プラグが前記ソケットに嵌入された際に前記導通部材を拭き取る第二の拭き取り部材とを具備したものである。
本発明の請求項２においては、前記プラグ及びソケットに設けられた第１及び第２のピンを嵌合部の両端から圧入させる。第１及び第２のピン同士はソケットの導通部材によって導通される。嵌合部の両端付近には第一の拭き取り部材が設けられており、前記プラグが前記ソケットに嵌入された際に第１及び第２のピンの外周の水分及び汚れ等が拭き取られる。また、前記ソケットのピンには第二の拭き取り部材が設けられており、前記プラグが前記ソケットに嵌入された際に前記導通部材内の水分及び汚れ等が拭き取られる。
【００１６】
【発明の実施の形態】
以下、図面を参照して本発明の実施の形態について詳細に説明する。図１乃至図５は本発明の第１の実施の形態に係り、図１は第１の実施の形態の医療機器用コネクタのソケットを示す斜視図、図２は第１の実施の形態の医療機器用コネクタのプラグを示す斜視図、図３は図１をＡ方向から見た正面図、図４は図２のＢ方向から見た正面図である。また、図５はソケットにプラグが接続された状態を示す説明図である。
【００１７】
図１及び図２はソケット１及びプラグ２の全体を示している。ソケット１において、端部にケーブル４が接続された円筒形状のシェル５はプラグ２との接続部側（先端側）が細径に形成されて、この細径部６に係合凹部材としての中空の回転部材７が取り付けられている。細径部６には基端側において周状に溝部８が形成され、一方、回転部材７には溝部８に対向する位置に引っ掛かり部９が形成されており、回転部材７は引っ掛かり部９が溝部８に係合した状態でソケット長軸に対して回動自在である。
【００１８】
細径部６の先端は、半周分だけ若干太径に形成されて、この太径部１０の周部分は係合爪１１を構成する。係合爪１１が形成された太径部１０の前面は複数の電極１２が露出して設けられた電極面１３が構成される。電極１２はケーブル４内の図示しない信号線に接続されている。
【００１９】
本実施の形態においては、細径部６先端の太径に形成されていない半周部分には、前面に拭き取り部材１４が設けられるようになっている。拭き取り部材１４は、後述するプラグ２側の電極２６及び電極面２５に付着した水分等を拭き取り可能な材質で構成されている。
【００２０】
回転部材７は先端面が半周分だけ開口（開口部１５）した筒状部材である。回転部材７先端側の開口していない残りの半周部分はソケット長軸方向に所定の厚さに形成されて拭き取り部材取付部１６を構成する。電極面１３に対向する拭き取り部材取付部１６の面には拭き取り部材１７が取り付けられている。
【００２１】
拭き取り部材１７は、電極１２及び電極面１３に付着した水分等を拭き取り可能な材質で構成されており、拭き取り部材取付部１６は電極面１３及び電極１２に当接可能となっている。
【００２２】
一方、プラグ２は、後端部にケーブル２１が接続された円筒形状のシェル２２を有する。シェル２２はソケット１との接続部側（先端側）が細径の半円柱状に形成された係合凸部材としての凸部２３を有する。凸部２３は、プラグ長軸方向（Ｂ方向）から見た形状は、ソケット１の回転部材７先端の開口部１５の形状に一致し、凸部２３は開口部１５から回転部材７内部に挿入可能となっている。
【００２３】
凸部２３の先端側は、径方向の中心側が空洞となっており、この空洞部２４における凸部２３先端面（電極面２５）において電極２６が露出して設けられている。電極２６はケーブル２１内の信号線（図示せず）に接続されている。空洞部２４の凸部２３先端には係合部２７が形成されている。空洞部２４は、電極面２５側の内周において周状に溝２８が形成されている。
【００２４】
凸部２３の基端から凸部２３の電極面２５までの長さ、係合部２７の長さ、溝２８の幅、溝２８の深さ等は、ソケット１各部の形状に応じて設定されている。即ち、凸部２３の基端から凸部２３の電極面２５までの長さは、回転部材７の拭き取り部材取付部１６の長さに略一致している。これにより、プラグ２をソケット１に凸部２３の基端面が回転部材７の先端面に当接する位置まで挿入した状態で、電極２６は拭き取り部材１４に当接するようになっている。
【００２５】
また、係合部２７の長さ及び溝２８の幅は、凸部２３の基端面を回転部材７前面に当接した状態で、溝２８の先端側側面と係合爪１１の背面（基端側平面）とが当接するように決定されている。なお、空洞部２４の内径は細径部６の外径よりも大きく、係合爪１１の外径よりも小さい。また、溝２８の内径は係合爪１１の外径よりも若干大きい。
【００２６】
従って、本実施の形態においては、拭き取り部材１４が回転部材７の開口部１５に臨んでいる状態において、プラグ２の凸部２３をソケット１の回転部材７内に完全に挿入することができる。更に、この状態で、回転部材７をプラグ２と共にソケット長軸に対して回転させることが可能である。
【００２７】
次に、このように構成された実施の形態の作用について説明する。
【００２８】
ソケット１とプラグ９とを接続する場合には、先ず、回転部材７の開口部１５を細径部６前面に取り付けた拭き取り部材１４に対向させる。これにより、太径部１０の係合爪１１は、開口部１５に臨まず、係合爪１１によってプラグ２の凸部２３の挿入が阻止されることはない。
【００２９】
この状態で、プラグ２の凸部２３を開口部１５に挿入し、凸部２３の基端面を開口部１５前面に当接させる。図５（ａ）はこの状態を示している。図５（ａ）に示すように、ソケット１側の電極面１３及び電極１２は、回転部材７の拭き取り部材取付部１６に当接し、また、プラグ２の電極面２５及び電極２６は、ソケット１の細径部６前面に取り付けた拭き取り部材１４に当接する。
【００３０】
ここで、使用者は、プラグ２及び回転部材７をソケット長軸に対して擬１８０度回転させる。この場合には、プラグ２の係合部２７に設けた溝２８内にソケット１の太径部１０が入り込むことで、プラグ２の回転が可能である。図５（ｂ）は１８０度回転後の状態を示している。
【００３１】
図５（ｂ）に示すように、太径部１０の係合爪１１の基端側面と溝２８の側面とは当接し、係合爪１１によって係合部２７は長軸方向に固定される。これにより、プラグ２の抜けが防止される。
【００３２】
本実施の形態においては、プラグ２を回転させることによって、プラグ２の電極面２５及び電極２６は拭き取り部材１４上を摺動して、電極２６及び電極面２５に付着した水分及び汚れ等が除去される。また、同様に、回転部材７を回転させることにより、ソケット１の電極面１３及び電極１２は拭き取り部材１７上を摺動し、電極面１３及び電極１２に付着した水分及び汚れ等が除去される。
【００３３】
図５（ｂ）の状態では、ソケット１の電極１２とプラグ２の電極２６とが当接して、電気的な接続が行われて導通する。
【００３４】
このように、本実施の形態においては、電極が濡れていたり汚れている場合でも、電気的に安全で確実な接続が可能となると共に、ソケットとブラグの形状がシンプルであり接続時に触感のみで確実な接続が可能である。
【００３５】
また、拭き取り部材１４，１７として導電性ゴムを採用し、拭き取り部材１４，１７によるスイッチが接続されたか否かを識別する識別回路を付加することにより、識別回路の出力によって、ソケット１とプラグ２とが確実に接続されたことを確認することも可能である。
【００３６】
図６は本発明の第２の実施の形態を示す断面図である。本実施の形態はピンプラグに適用したものである。
【００３７】
図６において、ソケット１４とプラグ２６とは、プラグ２６に設けたピン２９をソケット１４の嵌合部２８に嵌入することによって接続されるようになっている。ソケット１４は、図示しないケーブルが接続されるシェル４５、シェル４５に取り付けられる外筒部１６、外筒部１６に例えばねじ込みによって着脱自在に取り付けられるピンプラグ１５、接続部２１及び固定部２５によって構成される。
【００３８】
ピンプラグ１５にはソケット長軸方向に突出したピン１８が植設されている。ピン１８はソケット１４後端側に取り付けられた図示しない信号線に接続されている。
【００３９】
外筒部１６には、外筒部１６及び接続部２１の外径よりも細径に構成した溝部１７が設けられている。接続部２１は後端側に所定の内径の中空部を有しており、この中空部内にピンプラグ１５及び溝部１７が摺動自在に挿着される。接続部２１は後端の内径側に突部を有し、溝部１７は前端の外径側に突部を有しており、これらの突部によって溝部１７の移動が制限されている。突部間にはばね等の弾性部材２７が設けられており、この弾性部材２７によって溝部１７（ピンプラグ１５）は接続部１７に対してその前端側に付勢されるようになっている。
【００４０】
接続部２１にはピン１８に対応した位置に、中空部から前端まで貫通した貫通孔である嵌合部２８が形成されている。嵌合部２８の後端及び前端にはそれぞれシリコンゴム製等の抜き取り部材１９，４６が設けられている。
【００４１】
一方、プラグ２６は先端にピン２９が設けられており、ピン２９は、プラグ２６後端に接続された図示しない信号線に接続されている。
【００４２】
抜き取り部材１９，４６にはピン１８，２９を挿脱可能にすると共にピン１８，２９外周に付着した水分及び汚れ等をピン１８，２９の挿脱時に除去するに適した大きさの切り込みが設けられている。
【００４３】
嵌合部２８を構成する貫通孔の周囲には導通用の金属管２０が設けられ、ピン２９を嵌合部２８に挿入することによって、ピン２９、金属管２０及びピン１８を介してプラグ１６とソケット１４との電気的な接続が行われるようになっている。
【００４４】
ピン１８の前端にはインサート成形等により抜き取り部材３０が取り付けられており、抜き取り部材３０は、ピン１８と共に嵌合部２８に嵌入され、ピンプラグ１５（ピン１８）の移動に伴って移動して金属管２０の内周面に付着した水分及び汚れ等を除去するようになっている。
【００４５】
接続部２１前端側外周には周上に溝部２２が形成されており、この溝部２２に固定部２５後端の突部を係合させるようになっている。固定部２５は、内周にネジ部２４が形成された貫通孔を有する。プラグ２６は前端側にネジ部２３を有し、ネジ部２３は固定部２５の貫通孔に設けたネジ部２４に螺合するネジが外周に形成されている。プラグ２６のネジ部３２を固定部２５の貫通孔に挿入して、固定部２５を回転させることでネジ部２３をネジ部２４に螺合させて、プラグ２６をソケット１４に固定するようになっている。
【００４６】
弾性部材２７は、嵌合部２８からピン２９を抜いた状態では、溝部１７を接続部２１前端側に付勢することにより、ピン１８に取り付けた抜き取り部材３０を抜き取り部材４６後端に当接する位置まで移動させるようになっている。なお、図６では、図面の見易さを考慮して、ピン２９が抜かれた状態でも、ピン１８先端を嵌合部２８の中央に位置させて示している。
【００４７】
このように構成された実施の形態においては、接続前は、弾性部材２７が溝部１７を前端側に付勢し、嵌合部２８内はピン１８にて中実状態となる。これにより、水分や汚れ等が嵌合部２８内に侵入することが防止される。
【００４８】
接続時は、プラグ２６のピン２９を嵌合部２８に位置合わせして押し込み、固定部２５のネジ部２４を回すことで、ソケット１４とプラグ２６とを接続固定する。こうして、ピン１８とピン２９とは金属管２０を介して導通する。
【００４９】
また、この接続時において、ピン１８及びピン２９は拭き取り部材１９によって、水分及び汚れ等が拭われた後に金属管２０に接触する。更に、本実施の形態においては、ピン１８の先端に設けられた拭き取り部材３０によって、接続時に金属管２０の水分及び汚れ等も除去される。
【００５０】
また、ピンプラグ１５を外筒部１６から外せるように構成しているので、使用時以外にはピンプラグ１５と外筒部１６、接続部２１、固定部２５がそれぞれ別体となり、ピンプラグ１５の洗滌性を向上させることができる。なお、外筒部１６と接続部２１と固定部２５とは、嵌合部２８を洗滌するブラシ等を工夫するか、もしくはディスポーザブル製品とすることで対応可能である。
【００５１】
このように、本実施の形態においては、電極面が汚れていても接続が可能となるだけでなく、接続部構成のみを単品として考えた場合、異種多種のピンプラグとピンプラグを繋ぐアダプタとしての機能を期待することができる。
【００５２】
図７は本発明の第３の実施の形態を示す説明図である。
【００５３】
図７において、ソケット３１は、前面が開口した円筒形状に形成され、先端は前面開口を底面とする円錐形状の空洞部分を有する。円錐形状後端のソケット３１径方向中心には、Ｃリング等で構成され、後述する固定部４１を固定するための環状溝部３５が設けられており、ソケット３１前面と環状溝部３５までの間には複数の電極を３３を有するテーパ面３４が形成される。また、ソケット３１前面の円周状の一部には、位置決め用のキー溝３２が形成されている。電極３３は、ソケット３１後端に接続された図示しない信号線に接続される。
【００５４】
本実施の形態においては、ソケット３１の前面近傍には、中心に小孔３６を有するパッキン３７が着脱自在に設けられている。
【００５５】
一方、プラグ３５は、先端側にソケット３１のテーパ面３４に嵌合する形状のテーパ面４０が形成されている。このテーパ面４０上には電極３３に対応する複数の電極３９が形成されている。電極３９は、プラグ３５後端に接続された図示しない信号線に接続される。
【００５６】
プラグ３５の周面の一部には、キー溝３２に対応する位置にキー溝３２に嵌合する突起３８が形成されている。また、プラグ３５の先端には環状溝部３５に嵌合する固定部４１が設けられている。
【００５７】
このように構成された実施の形態においては、接続時に、プラグ３５先端をソケット３１の前面開口から押し込む。即ち、固定部４１をパッキン３７の小孔３６に挿入して、テーパ面４０がテーパ面３４に当接するまでプラグ３５を押し込む。
【００５８】
この場合には、プラグ３５は、テーパ面４０が小孔３６を拡張しながらソケット３１後端側に進行する。突起３８がキー溝３２に嵌合するように、位置決めしながら押し込むことにより、テーパ面４０，３４同士が当接すると共に、電極３９，３３同士も接触する。これにより、プラグ３５とソケット３１との電気的な接続が行われる。
【００５９】
この接続時において、パッキン３７の小孔３６部分において、プラグ３５のテーパ面４０に付着している水分及び汚れ等が除去される。また、固定部４１と環状溝部３５とが嵌合して、プラグ３５はソケット３１に接続固定される。
【００６０】
なお、パッキン３７は着脱自在とすることにより、ソケット３１のプラグ３５との接続部を洗滌することが可能となる。
【００６１】
このように本実施の形態においては、電極面が汚れていても接続が可能となるだけでなく、プラグ、ソケットとともに外観に鋭利な部分を有しないので、手袋を傷つけたり、引っ掛かったりすることがなく、手袋をしている術者でも簡便且つ確実に着脱作業を行うことができる。
【００６２】
［付記］
（１）  滅菌領域内で使用する医療機器用コネクタにおいて、
電極面と、ほぼ同平面に存在する拭き取り部材と、前記平面を覆う様に位置し開口部とコネクタ長軸中心に回転する機構を有した係合凹部材からなるソケットと、
上記開口部に嵌合する形状であってその先端に電極面と係合部を有する係合凸部材からなるプラグとを具備したことを特徴とする医療機器用コネクタ。
【００６３】
（２）  滅菌領域内で使用する医療機器用コネクタにおいて、
両端から第１及び第２のピンをそれぞれ圧入させる嵌合部と、
前記嵌合部に設けられ前記第１及び第２のピン同士を導通させる導通部材と、
前記嵌合部の両端に設けられて前記第１及び第２のピンの少なくとも一方のピン外周を拭き取る拭き取り部材とを具備したことを特徴とする医療機器用コネクタ。
【００６４】
（３）  滅菌領域内で使用する医療機器用コネクタにおいて、
先端をテーパ凸面に形成すると共に前記テーパ凸面に第１の電極を有したブラグと、
前記テーパ凸面に嵌合する形状のテーパ凹面と、前記テーパ凹面に配設した第２の電極と、前記テーパ凹面の開口を覆うパッキンと、前記パッキンに形成され前記テーパ凸面を前記テーパ凹面に嵌合させる場合に前記テーパ凸面によって拡張される小孔とを具備したことを特徴とする医療機器用コネクタ。
【００６５】
（４）  前記拭き取り部材は、導電性材料により構成される事を特徴とする付記項１に記載の医療機器用コネクタ。
【００６６】
（５）  第１の電極が配設される第１の電極面と、前記第１の電極面に略面一に設けられる第１の拭き取り部材と、前記第１の電極面に対向可能な面を有し前記第１の電極面に垂直な回転軸で回転自在な回転部材と、前記回転部材の前記第１の電極面に対向可能な面に設けられて前記第１の電極に当接可能な第２の拭き取り部材とを備えたソケットと、
前記回転部材前面に設けた開口に嵌合する形状の凸部と、前記凸部の先端側に形成され、前記凸部の前記回転部材への挿入時には前記第１の拭き取り部材に当接し前記回転部材及び凸部が回転することによって前記第１の電極に接触する第２の電極を有する第２の電極面とを備えたプラグと
を具備したことを特徴とする医療機器用コネクタ。
【００６７】
（６）  前記第１の電極面及び前記凸部は、前記第１及び第２の電極同士が接触した状態で前記ソケットとプラグとの前記回転部材の回転軸方向への移動を阻止する係止部材を備えたことを特徴とする付記項５に記載の医療機器用コネクタ。
【００６８】
【発明の効果】
以上説明したように本発明によれば、血液等の液が付着しても着脱及び導通を可能にし、手袋をしている術者でも簡便且つ確実に着脱可能にすると共に、洗滌性に優れ、各種滅菌処理を可能にすることができるという効果を有する。
【図面の簡単な説明】
【図１】本発明の第１の実施の形態に係る医療機器用コネクタのソケットを示す斜視図。
【図２】本発明の第１の実施の形態に係る医療機器用コネクタのプラグを示す。
【図３】図１をＡ方向から見た正面図。
【図４】図２のＢ方向から見た正面図。
【図５】ソケットにプラグが接続された状態を示す説明図。
【図６】本発明の第２の実施の形態を示す断面図。
【図７】本発明の第３の実施の形態を示す説明図。
【符号の説明】
１…ソケット、２…プラグ、６…細径部、７…回転部材、１０，２５…電極面、１１…係合爪、１２，２６…電極、１４，１７…拭き取り部材、１５…開口部、２３…凸部、２４…空洞部、２７…係合部。
【図１】
0004307677.tif 000002
【図２】
0004307677.tif 000003
【図３】
0004307677.tif 000004
【図４】
0004307677.tif 000005
【図５】
0004307677.tif 000006
【図６】
0004307677.tif 000007
【図７】
0004307677.tif 000008